(57)【特許請求の範囲】
【請求項１】
被写体からの画像を光電変換して記憶手段に記憶可能な画像データを生成し、この画像の撮影時において設定された撮影条件である撮影情報に基いて前記画像データの印刷時において前記画像データに対して画像処理を行った後に印刷を行う際の画像処理内容を規定するための印刷指示情報を前記画像データと関連付けて記憶するカメラ手段と、
前記画像データに対して画像編集を施す画像編集手段と、
前記画像編集手段による画像編集の内容に対応して、前記画像データに関連付けて記憶された前記印刷指示情報を書き換える情報書き換え手段と、
前記印刷指示情報に対応して前記画像データに対して所定の画像処理を行った後に印刷を行う印刷手段と、
を備えることを特徴とする印刷システム。
【請求項２】
前記画像編集手段によって画像編集を施された画像データと、前記情報書き換え手段によって前記画像編集手段の画像編集の内容に対応して書き換えられた前記印刷指示情報とを関連付けて記憶する記憶手段をさらに備えることを特徴とする請求項１に記載の印刷システム。
【請求項３】
前記印刷指示情報は、該印刷指示情報が関連付けられている画像データに対し、前記印刷手段が行う前記所定の画像処理に対する制限や指示を行う情報を含むことを特徴とする請求項１又は２に記載の印刷システム。
【請求項４】
前記情報書き換え手段は、前記印刷指示情報が、前記画像編集の内容を示す情報、及び前記印刷指示情報が関連付けられている画像データに対し、前記印刷手段が行う前記所定の画像処理に対する制限や指示を行う情報を含むよう書き換えることを特徴とする請求項１又は２に記載の印刷システム。
【請求項５】
前記情報書き換え手段は、前記印刷指示情報が、前記印刷指示情報が関連付けられている画像データに対し、前記印刷手段が行う前記所定の画像処理に対する制限や指示を行う情報を含むよう書き換えることを特徴とする請求項１又は２に記載の印刷システム。
【請求項６】
前記情報書き換え手段は、前記画像編集の内容を示す情報を前記撮影情報に変換し、当該撮影情報に基いて前記印刷指示情報を書き換えることを特徴とする請求項１又は２に記載の印刷システム。
【請求項７】
前記印刷指示情報は、前記画像編集手段によって前記画像データに対して画像編集を施したかどうかを示すプリント補正処理情報を含むことを特徴とする請求項１又は２に記載の印刷システム。
【請求項８】
前記書き換え手段は、前記印刷指示情報を、前記画像編集手段が、前記所定の画像処理において、前記画像編集手段が前記画像編集を施した特定のパラメータに対する処理の禁止を指示する情報を含むように書き換えることを特徴とする請求項１又は２に記載の印刷システム。
【請求項９】
前記特定のパラメータは、画像を構成する色要素の混合割合であることを特徴とする請求項８に記載の印刷システム。
【請求項１０】
前記特定のパラメータは、画像の明るさ、明度、彩度の少なくとも１つであることを特徴とする請求項８に記載の印刷システム。
【請求項１１】
被写体からの画像を光電変換して得られた記憶手段に記憶可能な画像データであってこの画像の撮影時において設定された撮影条件である撮影情報に基いて前記画像データの印刷時において前記画像データに対して画像処理を行った後に印刷を行う際の画像処理内容を規定するための印刷指示情報を前記画像データと関連付けて記憶させた当該画像データに対して、画像編集を施す画像編集手段と、
前記画像編集手段の画像編集の内容に対応して、前記画像データに関連付けて記憶されている、前記印刷指示情報を書き換える情報書き換え手段と、
を備えることを特徴とする画像処理装置。
【請求項１２】
前記印刷指示情報は、前記画像データを印刷する際に行われる所定の画像処理に対する制限や指示を示すことを特徴とする請求項１１に記載の画像処理装置。
【請求項１３】
前記画像編集手段によって画像編集を施された画像データと、前記情報書き換え手段によって書き換えられた前記印刷制御情報とを、関連付けて前記記憶手段に記憶させる情報書き込み手段をさらに備えることを特徴とする請求項１１又は１２に記載の画像処理装置。
【請求項１４】
前記印刷指示情報は、該印刷指示情報が関連付けられている画像データを印刷する時に行われる所定の画像処理に対する制限や指示を行う情報を含むことを特徴とする請求項１１乃至１３のいずれか１項に記載の画像処理装置。
【請求項１５】
前記情報書き換え手段は、前記印刷指示情報が、前記画像編集の内容を示す情報、及び前記印刷指示情報が関連付けられている画像データの印刷時に行われる所定の画像処理に対する制限や指示を行う情報を含むよう書き換えることを特徴とする請求項１１乃至１３のいずれか１項に記載の画像処理装置。
【請求項１６】
前記情報書き換え手段は、前記印刷指示情報が、前記印刷指示情報が関連付けられている画像データの印刷時に行われる所定の画像処理に対する制限や指示を行う情報を含むよう書き換えることを特徴とする請求項１１乃至１３のいずれか１項に記載の画像処理装置。
【請求項１７】
前記情報書き換え手段は、前記画像編集の内容を示す情報を前記撮影情報に変換し、当該撮影情報に基いて前記印刷指示情報を書き換えることを特徴とする請求項１１乃至１３のいずれか１項に記載の画像処理装置。
【請求項１８】
前記印刷指示情報は、前記画像編集手段によって前記画像データに対して画像編集を施したかどうかを示すプリント補正処理情報を含むことを請求項１１乃至１３のいずれか１項に記載の画像処理装置。
【請求項１９】
前記書き換え手段は、前記印刷指示情報を、前記画像編集手段が、印刷時に行われる所定の画像処理において、前記画像編集手段が前記画像編集を施した特定のパラメータに対する処理の禁止を指示する情報を含むように書き換えることを特徴とする請求項１１乃至１３のいずれか１項に記載の画像処理装置。
【請求項２０】
前記特定のパラメータは、画像を構成する色要素の混合割合であることを特徴とする請求項１９に記載の画像処理装置。
【請求項２１】
前記特定のパラメータは、画像の明るさ、明度、彩度の少なくとも１つであることを特徴とする請求項１９に記載の画像処理装置。
【請求項２２】
被写体からの画像を光電変換して記憶手段に記憶可能な画像データを生成し、この画像の撮影時において設定された撮影条件である撮影情報に基いて前記画像データの印刷時において前記画像データに対して画像処理を行った後に印刷を行う際の画像処理内容を規定するための印刷指示情報を前記画像データと関連付けて記憶し、
前記画像データに対して画像編集を施し、
前記画像編集手段による画像編集の内容に対応して、前記画像データに関連付けて記憶された前記印刷指示情報を書き換え、
前記印刷指示情報に対応して前記画像データに対して所定の画像処理を行った後に印刷を行うことを特徴とする印刷方法。
【請求項２３】
前記画像編集を施された画像データと、前記画像編集の内容に対応して書き換えられた前記印刷指示情報とを関連付けて記憶する請求項２２に記載の印刷方法。
【請求項２４】
前記印刷指示情報は、該印刷指示情報が関連付けられている画像データに対し、前記所定の画像処理に対する制限や指示を行う情報を含むことを特徴とする請求項２２又は２３に記載の印刷方法。
【請求項２５】
被写体からの画像を光電変換して得られた記憶手段に記憶可能な画像データであってこの画像の撮影時において設定された撮影条件である撮影情報に基いて前記画像データの印刷時において前記画像データに対して画像処理を行った後に印刷を行う際の画像処理内容を規定するための印刷指示情報を前記画像データと関連付けて記憶させた当該画像データに対して画像編集を施し、
前記画像編集の内容に対応して、前記画像データに関連付けて記憶されている、前記印刷指示情報を書き換えることを特徴とする画像処理方法。
【請求項２６】
前記画像編集を施された画像データと、前記画像編集の内容に対応して書き換えられた前記印刷指示情報とを関連付けて記憶する請求項２５に記載の画像処理方法。
【請求項２７】
前記印刷指示情報は、該印刷指示情報が関連付けられている画像データに対し、前記所定の画像処理に対する制限や指示を行う情報を含むことを特徴とする記憶する請求項２５又は２６に記載の画像処理方法。
【発明の詳細な説明】
【０００１】
【発明の属する技術分野】
本発明は、デジタルカメラで撮像した画像データに対して画像編集処理を行う画像処理装置及び画像編集処理を行った画像データを印刷する印刷システムに関する。
【０００２】
【従来の技術】
電荷結合素子（ＣＣＤ）等の撮像素子を利用して撮像を行う、いわゆるデジタルカメラが近年一般的になってきている。
かかるデジタルカメラによる撮影画像の画像データは、伝達や画像加工処理が容易に行えるという特徴を有している。例えば、撮像した画像が、ポートレート写真のものである場合には軟調な画像にしたり（ポートレートモード）、風景写真の場合には彩度を上げて被写体の色をより鮮やかに再現したり（風景モード）、スポーツ等における動きの激しい被写体のものの場合にはコントラストを強調させて画像の鮮鋭度を上げたり（スポーツモード）等の画像処理が行われる。この画像処理により、写真としての美しさを強調したプリントを生成することが可能となる。
【０００３】
このような画像データの画像処理の技術については、例えば特開平１１−２３９２６９号公報「画像処理方法」に記載されている。
この公報に記載されている技術は、画像データに撮影時のシーン情報を付与しておき、印刷時のデジタル画像処理で、このシーン情報に応じて最適な画像処理条件を設定することにより、高画質な画像が再生されたプリントを安定して出力することができるようにしたものである。
【０００４】
また別の画像データの画像処理の技術としては、特開平１０−２００６７１号公報「画像形成装置、表示方法及び記憶媒体」がある。
この公報に記載されている技術では、フィルムの磁気トラックに、ソフトフォーカスや軟調指示等のフィルムの仕上げ情報を撮影時に記録しておき、印刷時にこの仕上げ情報によって画像処理を行うことにより、顧客の好む画像を出力することができるようにしたものである。
【０００５】
これらの技術では、上述した如く画像データにその画像を撮像した撮影シーンの種類を示す情報が付加されており、画像処理では、対象となる画像データに付与している撮影シーンの種類を示す情報に依存して行われる場合が多い。例えば特開平１１−２３９２６９号公報に開示されているように、画像データにシーン情報を付与し、画像の印刷時等において、プリンタ装置がシーン情報に基いて所望の画像処理を自動的に施した後に印刷を行うことにより、美しい写真を自動的に印刷することを可能としている。特開平１０−２００６７１号公報の技術においても同様に、画像データに対する処理を示す仕上げ情報に基づいた画像処理を行ってから印刷を行っている。
【０００６】
ところで、デジタルカメラで撮影した画像データをパーソナルコンピュータ等の汎用コンピュータ（以下ＰＣという）内に取り込み、この取り込んだ画像データの明度・彩度・カラーバランス等の各パラメータを任意の量で自由に調整加工可能な画像処理用のアプリケーションソフトも既に一般的になっている。これらの画像処理ソフトを用いると、撮影時の画像をＰＣのモニタ上に表示させながら微妙な調整加工を行うことが出来、撮影者の好みの画像を生成することが可能となる。
【０００７】
また、撮影画像の印刷においては、前述の如く、望ましい画像処理の内容は、撮影画像のシーンの種類に依存している場合が多いことから、カメラでの撮影時のモード情報（ポートレートモード、風景モード、スポーツモード等）を、撮影した画像データに付加して記録しておき、印刷時にこのモード情報を読み出して各モードに応じた画像処理を施した後に印刷を行えば、自動的に美しい印刷写真を得ることのできる非常に有用なシステムを実現できる。
【０００８】
【発明が解決しようとする課題】
しかしながら、撮影画像にシーン情報を付加させた画像データをＰＣに取り込んで、所望の調整や加工等の画像処理を施し、処理後の画像データをプリンタ装置で印刷しようとした場合、プリンタ装置が自動的にモード情報を読み出して対応した画像処理を施して印刷する構成の場合、既にＰＣ上で画像処理を行って彩度を上げたりコントラストを強調する等印刷に最適な画像になるように画像データが加工されているにも関わらず、プリンタ装置が、その画像データについて更に彩度やコントラストを上げる等の画像処理を施して印刷を行うことになってしまう。そしてこの結果、過剰に彩度を上げられた画像やコントラストが強調された画像等、撮影者の意図とは異なった画像が印刷されることになり、所望の品位の印刷画像を得ることができない。
【０００９】
このことを防止するために、印刷を行うプリンタ装置等での画像処理を行うか否かの選択を印刷の度毎にユーザに行わせるようにすることも可能であるが、このことはユーザにとって非常に煩わし操作となってしまう。
本願はかかる事情に鑑みてなされたもので、撮影した画像の画像データに対して、ユーザが特別な操作を必要とせずに、希望の状態での印刷画像を得ることを可能とした画像処理装置や印刷システム及びその方法を提供することを課題とする。
【００１０】
【課題を解決するための手段】
本発明による印刷システムは、カメラ手段、画像編集手段、情報書き換え手段及び印刷手段を備える。
カメラ手段は、被写体からの画像を光電変換して記憶手段に記憶可能な画像データを生成し、この画像の撮影に関連する撮影情報に基いて印刷指示情報を前記画像データと関連付けて記憶する。
【００１１】
画像編集手段は、前記画像データに対して画像編集を施す。
情報書き換え手段は、前記画像編集手段による画像編集の内容に対応して、前記画像データに関連付けて記憶された前記印刷指示情報を書き換える。
印刷手段は、前記印刷指示情報に対応して前記画像データに対して所定の画像処理を行った後に印刷を行う。
【００１２】
また本発明による印刷システムは、前記画像編集手段によって画像編集を施された画像データと、前記情報書き換え手段によって前記画像編集手段の画像編集の内容に対応して書き換えられた前記印刷指示情報とを関連付けて記憶する記憶手段をさらに備える構成であっても良い。
【００１３】
また本発明による画像処理装置は、被写体からの画像を光電変換して得られた記憶手段に記憶可能な画像データに対して、画像編集を施す画像編集手段と、前記画像編集手段の画像編集の内容に対応して、前記画像データに関連付けて記憶されている、前記画像データの撮影に関連する撮影情報に基く印刷指示情報を書き換える情報書き換え手段とを備える。
【００１４】
本発明によれば、画像編集手段が行った画像編集の内容によって、画像データと関連付けて記憶されている印刷指示情報が、情報書き換え手段によって書き換えられ、この印刷指示情報に基いて前記画像補正が行われる。よって、前記画像編集の内容に基いた画像補正が行われる。
【００１５】
【発明の実施の形態】
基本原理
図１は、本実施形態の全体の流れを示す概念図である。
本実施形態の印刷システムでは、デジタルカメラ１で撮影した画像の画像データに対して、画像処理装置によって画像処理を行い、これをプリンタ装置４で印刷する。この時、画像処理装置が、画像補正の内容と画像データに付与している情報の両方を考慮して印刷時に用いられるプリント補正情報を生成して、補正された画像データに付与する。そしてプリンタ装置４では、画像データに対してこのプリント補正情報に基いた画像処理を行って印刷を行う。これにより、撮影後に何らかの画像処理を施された画像データであっても、ユーザが期待した印刷画像を得ることができる。
【００１６】
尚本実施形態における画像処理装置は、デジタルカメラ１若しくはプリンタ装置４とは独立した画像処理装置３として構成しても、デジタルカメラ１又はプリンタ装置４に組み込まれた機器、若しくはオプションとして付加された機器として実現する構成でも良い。また画像処理装置３は、画像編集処理を行う専用の機器として実現しても、アプリケーションプログラムをＰＣ上で動作させることによってソフトウエア的に実現してもよい。
【００１７】
またデジタルカメラ１によって撮影された画像データは、メモリカード２内に記憶され、このメモリカード２によって、画像処理装置３やプリンタ装置４に受け渡される。尚本実施形態では機器間のデータの受け渡しはメモリカード２によって行われるものに限定されるものではなく、他の可搬記憶媒体を用いても良い。或いは機器間をケーブル接続してこのケーブルを介して、あるいは無線通信によってデータを転送しても良い。
【００１８】
図２及び図３は、本発明の一実施の形態に係る印刷システムに含まれる電子カメラ１とプリンタ装置４の構成を示すブロック図である。図２に示した電子カメラは、ユーザ（撮影者）により設定されたシーンモードに基づく撮影を可能にする機能を備えており、また図３に示したプリンタ装置は、印刷対象の画像データに付加されているプリント補正情報に基づいて補正処理を行い印刷を可能にする機能を備えている。
【００１９】
まず、図２を用いて電子カメラの構成について説明する。
同図において、ズームレンズ系１１、撮像素子１２、撮像回路１３、及びＡ／Ｄ（アナログ／デジタル）変換回路１４で撮像部が構成されている。撮像部では、ズームレンズ系１１によって結像された被写体像が撮像素子１２によって光電変換され、その変換出力である画像信号が撮像回路１３を介してＡ／Ｄ変換回路１４に入力されるとそこでアナログ−デジタル変換されてデジタルデータである画像データが得られる。ここで、ズームレンズ系１１に備えられているレンズは、レンズ駆動制御回路１５により制御されているレンズ駆動部１６により駆動され、被写体像のフォーカスの調整が行なわれる。
【００２０】
シスコン（システムコントローラ）１７は、ＣＰＵ（中央演算処理装置）を備えて構成され、電子カメラを構成する各部を制御すると共に、画像データで示される画像の明暗・彩度・色合い等を補正する各種の画像処理を行う。
ＡＳＩＣ（Application Specific Integrated Circuit ）部１８は、ＪＰＥＧ（Joint Photographic Experts Group）方式による画像データの圧縮処理及び伸張処理を行う。
【００２１】
ＲＯＭ１９は、電子カメラを構成する各部の制御をシスコン１７に備えられているＣＰＵに行わせるための制御プログラムや、各種の処理のために必要な演算データや、後述する撮影条件情報−プリンタ補正パラメータ変換テーブルや画像編集内容情報−プリント補正パラメータ変換テーブル等が格納されているリード・オンリ・メモリである。
【００２２】
ＲＡＭ２０は、画像データを一時的に蓄えるバッファメモリとして使用される他、シスコン１７による各種処理のための作業用の記憶領域としても使用されるランダム・アクセス・メモリである。
メモリＩ／Ｆ（インターフェース）２１は、カードスロット２２に挿入されたメモリカード２３との間でデータの授受を行うためのインターフェース機能を提供するものであり、データの読み書きの可能な半導体メモリを備えて構成されるメモリカード２３への画像ファイル（画像データ含む）の書き込み、あるいはメモリカード２３からの画像ファイル（画像データ含む）の読み出しの処理が行なわれる。
【００２３】
外部Ｉ／Ｆ（インターフェース）２４は、外部入出力端子２５に接続された外部装置、例えばパーソナルコンピュータ等との間でデータの授受を行うためのインターフェース機能を提供するものであり、外部装置への画像ファイル（画像データ含む）や各種データなどの出力、あるいは外部装置からの画像ファイル（画像データ含む）や各種データなどの入力処理が行われる。
【００２４】
ビデオメモリ２６はシスコン１７での画像処理によって得られる表示用の画像データを一時的に保持しておくためのメモリであり、この画像データはその後ビデオメモリ２６から読み出されてビデオ出力回路２７に入力されてビデオ信号である画像信号に変換される。この画像信号が画像表示ＬＣＤ２８に入力されると画像が表示される。また、この画像信号はビデオアウト端子２９を介して他の装置へ送出することも可能である。
【００２５】
ストロボ発光部３０は、ストロボを使用する撮影の際にストロボを発光させるためのものである。
操作部３１は、ユーザ（撮影者）からのシーンモード指示、感度情報の増感設定等の撮影の為の主機能以外の追加機能の設定指示、撮影指示等の各種指示を受け付けるための各種ボタン（レリーズボタン含む）やスイッチ等であり、受け付けた各種指示をシスコン１７へ伝えるものである。
【００２６】
電源部３２は、カメラ電池３３の電圧、若しくは外部電源端子３４に入力された電力の電圧を制御してこの電子カメラの各部に電力を供給する。
次に、図３を用いてプリンタ装置の構成を説明する。尚、同図に示すプリンタ装置は、例えばＹ（イエロー）、Ｍ（マゼンタ）、Ｃ（シアン）からなるインクリボンを使用し、面順次方式により用紙に印刷を行う昇華型熱転写方式のプリンタ装置である。
【００２７】
同図おいて、シスコン（システムコントローラ）４１は、ＣＰＵ（中央演算処理装置）を備えて構成され、プリンタ装置を構成する各部を制御すると共に、画像データを解析し、解析結果に基づく画像の明暗・彩度・色合い等を補正する各種の画像処理を自動的に行う。
【００２８】
ＡＳＩＣ（Application Specific Integrated Circuit ）部４２は、ＪＰＥＧ（Joint Photographic Experts Group）方式による画像データの圧縮処理及び伸張処理を行う。
メモリＩ／Ｆ（インターフェース）４３は、カードスロット４４に挿入されたメモリカード４５との間でデータの授受を行うためのインターフェース機能を提供するものであり、データの読み書きの可能な半導体メモリを備えて構成されるメモリカード４５への画像ファイル（画像データ含む）の書き込み、あるいはメモリカード４５からの画像ファイル（画像データ含む）の読み出しの処理が行なわれる。
【００２９】
ＲＡＭ４６は、画像データを一時的に蓄えるバッファメモリとして使用される他、シスコン４１による各種処理のための作業用の記憶領域としても使用されるランダム・アクセス・メモリである。
ＲＯＭ４７は、プリンタ装置を構成する各部の制御をシスコン４１に備えられているＣＰＵに行わせるための制御プログラムや、各種の処理のために必要な演算データ等が格納されているリード・オンリ・メモリである。
【００３０】
サーマルヘッド制御部４８は、シスコン４１での自動画質補正処理等の各種画像処理によって得られたプリント用の画像データを１ラインデータ毎に読み出し、これに基づいてサーマルヘッド４９を駆動（加熱）させることにより、ペーパー５０にインクリボン５１の染料を昇華、吸収させて印刷を行う。
【００３１】
ペーパー搬送制御回路５２は、ペーパー搬送部５３を制御して、Ｙ、Ｍ、Ｃのインクリボン５１による重ね合わせ印刷が行われるように各インクが順次適用されるのに対応して、ペーパーカートリッジ５４からペーパー５０を搬送する。
操作部５５は、ユーザからの画像選択指示、プリント（印刷）指示等の各種指示を受け付けるための各種ボタンやスイッチ等であり、受け付けた各種指示をシスコン４１へ伝えるためのものである。例えば、電源スイッチ、プリントボタン、十字キー等がこれに含まれる。
【００３２】
電源部５６は、外部電源端子５７に入力された電力の電圧を制御してこのプリンタ装置を構成する各部に電力を供給する。
インタフェースコントローラ５８は、コネクタ５９に接続されたケーブルから転送されてくる画像データの受信を制御するものである。このインタフェースコントローラ５８は、ＵＳＢやＩＥＥＥ１３９４等の通信プロトコルに基いた制御を行い、コネクタ５９に接続されるケーブルを介してデジタルカメラ１や画像処理装置３とデータのやり取りを行う。
【００３３】
図４は、画像処理装置３をＰＣ上でアプリケーションプログラムを稼動させることにより実現した場合の、ＰＣの基本構成を示す図である。
同図では、ＰＣはＣＰＵ６１、主記憶装置６２、ハードディスク等の補助記憶装置６３、ディスプレイ、キーボード等の入出力装置（Ｉ／Ｏ）６４、モデム等の通信装置６５及びメモリカード、フレキシブルディスク、ＣＤ−ＲＯＭ、ＭＯ、磁気テープなどの可搬記憶媒体６７から記憶内容を読み出す媒体読取り装置６６を有し、これらが互いにバス６８により接続される構成を備えている。
【００３４】
図４の構成では、媒体読取り装置６６により可搬記憶媒体６７に記憶されているプログラムやデータを読み出し、これを主記憶装置６２または補助記憶装置６３にダウンロードする。そして画像処理装置３としての各処理は、ＣＰＵ６１がこのプログラムやデータに基いた処理を実行することにより、ソフトウエア的に実現される。
【００３５】
画像処理を行う際は、同図のＰＣでは媒体読取装置６６によりメモリカード等の可搬記憶媒体６７から、あるいは通信装置６５によりカメラ１から若しくはインターネット等の一般回線から画像データを読み込み、これをディプレイ等に表示させ、ユーザからの指示に基いて画像処理を行い、結果を画像データとして可搬記憶媒体６７や補助記憶装置６３に記録する。この時、ユーザによる画像処理の内容と画像データに関連付けられていた撮影条件情報に基いて生成したプリント補正情報を画像処理を施した画像データに関連付けて、例えば同一の画像ファイルに含めて或いはファイル名で対応付ける等の方法で関連付けて記録する。
【００３６】
そしてこの画像データを可搬記憶媒体６７を介して、あるいは通信装置６５からケーブルや無線通信、一般回線等によってプリンタ装置４に転送する。
次に撮影時、画像編集処理時、及び印刷時の具体的な処理について説明する。第１の実施形態
第１の実施形態は、デジタルカメラ１、画像処理装置３及びプリンタ装置４のいずれにおいても、撮影時にユーザが設定した撮影条件等を示す撮影条件情報及び画像データに対して行われた画像加工処理内容を示す画像編集内容情報のみを画像データに関連付けて記憶する。そしてプリンタ装置４内で、若しくはプリンタ装置４に対して最終的なプリントデータを出力する画像処理装置３内でのみ、シーンモード等を示す撮影条件情報や画像処理によって行われた処理内容を示す画像編集内容情報からプリント補正パラメータを生成する。そしてプリンタ装置４では、このプリント補正パラメータに従って画像データに対する補正処理を行った後に印刷する。プリント補正パラメータは、プリンタ装置４では、画像データが最適な状態に印刷されるよう、画像データを印刷する前にインクの特性や、プリンタ装置４固有の仕様等に基いて画像データに対して画像補正を行っている。プリント補正パラメータは、この画像補正で行われる複数の処理それぞれに対して制限や指示を行うパラメータである。
【００３７】
プリンタ装置４及びプリントデータを出力する画像処理装置（画像処理装置３、デジタルカメラ１又はプリンタ装置４内の画像処理装置）は、読み込んだ画像データに関連付けられている情報がプリント補正パラメータであった場合にはそのままにし、撮影条件情報または画像処理編集内容情報であった場合にはプリンタ補正パラメータに変換する。
【００３８】
まず、画像データに撮影条件情報が関連付けられて記録されている場合について説明する。デジタルカメラ１によって撮影した画像を、ユーザが画像加工処理を施さずにそのまま印刷する場合等がこのケースに該当する。
図５は、撮影条件情報とプリント補正パラメータとの関係を示す撮影条件情報−プリンタ補正パラメータ変換テーブルを示す図である。
【００３９】
同図では、横方向に撮影条件情報として、露出モード（オート、マニュアル）、測光モード（オート、スポット）、露出補正（補正あり、無し）、ホワイトバランス（オート、マニュアル）、ストロボ（発光、未発光）、シーンモード（ポートレート、風景、スポーツ）、コントラスト（標準、高、低）、彩度（標準、高、低）、シャープネス（標準、高、低）、ＩＳＯ感度（増感なし、あり）、デジタルズーム（なし、倍率）の各項目が示されており、これらがデジタルカメラ１でユーザが撮影した撮影条件に基いて撮影された画像データと共に記録される。また縦方向にはプリンタ装置４が実際に印刷を行う際に行われる画像処理時にその処理内容を指示するプリント補正パラメータの項目として、印刷画像に対する明るさ、コントラスト、ホワイトバランス、彩度、シャープネス、ノイズリダクション処理の有無、ジャギー処理の有無が示されており、これらが印刷時に行われる画像処理で設定され、このプリント補正パラメータに基いてプリンタ装置４では画像データの画像処理され、印刷が行われる。尚同図に示した撮影条件情報及びプリンタ補正パラメータの項目は一例であり、これらの項目は、デジタルカメラ１やプリンタ装置４の仕様等によって異なり、またデジタルカメラ１−プリンタ装置４間でのデータの互換等を考慮して新たな項目を増やしたり或いは削除したりすることができ、或いは全く異なる項目を持つ構成となる場合もある。
【００４０】
撮影条件情報−プリンタ補正パラメータ変換テーブルは、印刷時にプリンタ装置４で行われる画像処理で、撮影条件情報内の設定値に基づいて設定されるプリンタ補正パラメータの設定制限や処理の実行指示が規定されており、図５では横方向に示されている撮影条件情報内に記録されている各項目に対して、縦方向に示されているプリント補正パラメータを設定する際の制限内容（同図では○：他の撮影条件の項目によらずこの項目が設定されれば、プリント補正パラメータを必ず処理実行に設定、×：他の撮影条件の項目によらずこの項目が設定されればプリント補正パラメータを必ず未実行に設定、空欄，高め，低め：他の撮影条件情報の項目に×がない場合にプリント補正パラメータにそれぞれ任意、高め、低めへの補正の実行の指示）が示されている。
【００４１】
プリンタ装置４では、画像データを印刷する場合に、最適な印刷が行われるようにその画像データに対するプリント補正パラメータを設定し、このプリント補正パラメータを用いて画像データに対して画像処理を施した後印刷する。このプリント補正パラメータを設定する際、プリンタ装置４では内部に用意されている図５に示すような撮影条件情報−プリンタ補正パラメータ変換テーブルの内容に従ってプリント補正パラメータを決定する。
【００４２】
例えば、デジタルカメラ１でストロボを発光してマニュアル撮影を行った場合、撮影画像の画像データに関連付けられた撮影条件情報には、「ストロボ」の項目には「発光」、「露出モード」の項目には「マニュアル」と設定され記録される。この画像データを読み込んだプリンタ装置４では、撮影条件情報内の「ストロボ」の項目が「発光」に設定されていることから、撮影条件情報内の「コントラスト」の項目に「高」若しくは「低」が設定されていなければ、プリント補正パラメータの「コントラスト」に対応する処理として画像データのコントラストを低目に変更する処理を行うようプリント補正パラメータを設定する。また撮影条件情報内の「露出モード」の項目が「マニュアル」に設定されていることから、プリント補正パラメータの「明るさ」に対応する処理を一切行わないようにプリント補正パラメータを設定し、それ以外のホワイトバランス・彩度・シャープネス・ノイズリダクション・ジャギー処理等の項目に対応する処理については、上記した「コントラスト」や「露出モード」の項目と同様に制限があるものに対しては、その制限に基づいて、他の撮影条件情報の設定による制限がないものは予めプリンタ装置４にデフォルトで設定されている内容での画像処理を行うようプリント補正パラメータを設定する。そしてこのプリント補正パラメータに従ってプリンタ装置４が画像補正を行った後に印刷することにより、ユーザは印刷に対し、特別な指示を全く行うことなく、最適な状態での印刷画像を得ることができる。
【００４３】
次にデジタルカメラ１で撮影した画像の画像データを、画像処理装置（画像処理装置３、デジタルカメラ１又はプリンタ装置４内の画像処理装置）によって、ユーザが好みの画像に画像加工処理を行った場合について説明する。
この場合、まずユーザは、撮影した画像の画像データに対し、デジタルカメラ１又はプリンタ装置４を操作して、或いは画像処理装置３に取り込んで、所望の画像を生成するべく明度・彩度・コントラスト等のパラメータを任意に調整加工したり、テンプレート合成等の画像加工を行い、調整加工済みの画像データを保存する。この時、画像処理装置によって画像加工処理を行う前の原画像データに関連付けられていた撮影条件情報を画像編集内容情報に置き換えて、加工処理後の画像データに関連付け記憶する。
【００４４】
そしてこの加工処理が加えられた画像データをプリンタ装置４で印刷する際には、プリンタ装置４内では、印刷対象の画像データに関連付けられている画像編集内容情報をプリント補正パラメータに変換し、プリント補正パラメータに従って画像処理を行った後、印刷を行う。例えば所望の画像を得るために画像の明るさ（明度）、コントラストや彩度等のパラメータ値の変更、トリミング処理の実行等をユーザが行った後画像データを保存すると、これらの画像加工処理の種類を示す情報、また必要に応じてその変更量等の数値情報が画像編集内容情報として画像データと共に記憶される。
【００４５】
また、画像編集内容情報は、画像処理装置によって行われた画像加工処理の内容だけでなく、原画像に関連付けられていた撮影条件情報の内容をも考慮して生成される構成としても良い。例えば、撮影条件情報内の「露出モード」の項目に「マニュアル」と設定され記録されていた場合、画像編集内容情報には画像加工処理として「明るさ」の変更が行われた場合と同様な情報が記憶される。
【００４６】
このような撮影条件情報を変換したものに、画像処理装置によってユーザが行った画像加工処理に基く情報が加わって、画像編集内容情報は生成され、画像データに関連付けられて記憶される。
そして印刷するために、画像データがプリンタ装置４に取り込まれると、この画像編集内容情報からプリント補正パラメータが生成され、このプリント補正パラメータに基いて画像処理が行われた後、印刷が行われる。
【００４７】
図６は、画像編集内容情報とプリント補正パラメータとの関係を示す画像編集内容情報−プリント補正パラメータ変換テーブルを示す図である。この画像編集内容情報−プリント補正パラメータ変換テーブルは、画像編集内容情報をプリント補正パラメータに変換するために用いるテーブルで、第１の実施形態ではプリンタ装置４内のＲＯＭ４７等のメモリ上に置かれる。
【００４８】
同図の画像編集内容情報−プリント補正パラメータ変換テーブルでは、横方向に画像編集内容情報として明るさ、コントラスト、カラーバランス、彩度、シャープネス、トリミング、テンプレート合成の各項目が示されており、これらについての情報が画像処理装置でユーザが行った画像加工後の画像データと共に記録される。また縦方向にはプリント補正パラメータの各項目が示されており、横方向に示されている画像編集内容情報内に記録されている各項目に対して、縦方向に示されているプリント補正パラメータを設定する際の制限内容が図５の撮影条件情報−プリンタ補正パラメータ変換テーブルと同様の表記で示されている。
【００４９】
プリンタ装置４では、印刷対象となる画像データを読み込むと、関連付けられている画像編集内容情報を画像編集内容情報−プリント補正パラメータ変換テーブルに従ってプリント補正パラメータに変換する。
例えば画像編集内容情報に、画像加工処理として画像の明るさ（明度）のパラメータを変更する処理が行われていたことを示す情報が記録されていた場合、プリンタ装置４では画像編集内容情報−プリント補正パラメータ変換テーブルから明るさ（明度）及びコントラストを変化させるパラメータを変更しない様にプリント補正パラメータを設定する。そしてプリンタ装置４は、このプリント補正パラメータに従って、明るさとコントラストに関する画像処理を禁止して一切行わないよう制御する一方、それ以外のホワイトバランス・彩度・シャープネス・ノイズリダクション・ジャギー処理等については、予めプリンタ装置４に設定されているデフォルト設定値に基いて画像処理を行った後に画像の印刷を行う。
【００５０】
これにより、例えばユーザが明るさ（明度）に対する画像加工を行っている場合には、この画像データは、デジタルカメラ１で撮影した画像データに対してユーザが好みの画像の明るさとなるように調整加工を加えたものであり、その画像に対してそれ以上の画像処理（明るさの加工）は行うべきものではないので、プリンタ装置４では印刷時の画像処理において、新たに明るさを変更する処理画行われずに印刷が行われる。尚、画像処理装置で画像加工処理が行われなかった撮影条件情報は、そのまま印刷時において印刷指示情報として機能する。
【００５１】
その結果、画像処理装置によってユーザが画像加工処理を加えた画像データであっても、その後ユーザは何らの特別な操作指示を行うことなく、プリンタ装置４で所望の美しい画像を印刷することができる。
図７は、第１の実施形態におけるデジタルカメラ１で行われる撮影処理を示すフローチャートである。
【００５２】
撮影処理が開始されると、デジタルカメラ１では、まずステップＳ１として撮影画像を記録するメモリカードの空き容量のチェックを行う。
撮影画像の画像データを記録する空き容量がメモリカードにあることが確認されたら、デジタルカメラ１はレリーズボタンの押下待ち状態になり（ステップＳ２、ＮＯ）、レリーズボタンが押下されると（ステップＳ２、ＹＥＳ）、デジタルカメラ１に設定されている各種撮影条件に基いて撮像処理を行う（ステップＳ３）。そして撮像した画像に対してユーザによって選択設定されていたシーンモード等に基いて、ＡＷＢ（オート・ホワイト・バランス）処理（ステップＳ４）、色変換処理（ステップＳ５）、階調変換処理（ステップＳ６）、エッジ強調処理（ステップＳ７）を行い、ステップＳ８として画像データをＪＰＥＧ圧縮処理を行った後、ステップＳ９としてメモリカードに画像データを記憶する。この時、この画像の撮影時の種々の条件、例えば選択されていたシーンモード（ポートレートモード、風景モード等）、露出補正の有無（オート、マニュアル）や感度情報の増感設定等のデジタルカメラに設定されている追加機能の設定状態を示す追加機能設定情報等を撮影条件情報としてステップＳ９で記憶した画像データに関連付けて記憶し（ステップＳ１０）、撮影処理を終了する。尚、ステップＳ２においてレリーズボタンが押下されるまでの間においては、ユーザはカメラの設定を変更し得る。
【００５３】
図８は、画像処理装置で行われる画像編集処理を示すフローチャートである。画像処理装置（画像処理装置３、デジタルカメラ１又はプリンタ装置４内の画像処理装置）は、画像データを編集する際、まずステップＳ１１としてユーザが指示する画像の画像データが記録されている画像ファイルを読み込む。次に画像処理装置は、ステップＳ１２としてユーザの指示に基いて読み込んだ画像データに対してパラメータの変更等の画像編集処理を行い、この画像編集処理の内容等から画像編集内容情報を生成し、撮影条件情報をこの画像編集内容情報に置き換えて画像編集後の画像データを記憶する（ステップＳ１３）。尚この時画像データは、画像編集処理を施す前の原画像の画像データに上書き保存しても、別データとして保存してもよい。
【００５４】
図９及び図１０は、プリンタ装置４で行われるプリント処理を示すフローチャートである。尚本実施形態においては、同図の処理は、プリンタ装置４ではなく、ＰＣ上で稼動するアプリケーションプログラムによって実行される構成としても良い。
【００５５】
同図の処理に付いては、後述する第２の実施形態において詳細に説明する。
第２の実施形態
第１の実施形態では、画像データに、デジタルカメラ１では撮影条件情報を、また画像処理装置では画像編集内容情報を関連付けて記憶し、プリンタ装置４でこれらをプリント補正パラメータに変換していた。それに対して第２の実施形態では、デジタルカメラ１で撮影した画像データを記録する際、及び画像処理装置で画像データに対して画像編集処理を行った後に処理後の画像データを記憶する際に、画像データに撮影条件情報や画像編集内容情報ではなくプリント補正パラメータを関連付けて記憶する。
【００５６】
第２の実施形態では、ユーザがデジタルカメラ１によって撮影を行うと、デジタルカメラ１では、撮影画像を画像データに変換して記憶する。この時デジタルカメラ１は、撮影時の各種条件、例えば設定されているシーンモード、露出補正の設定の有無等の追加機能の設定状態、ストロボの発光の有無等の動作状態等の情報からプリント補正パラメータを生成し、これを画像データに関連付けて記憶する。
【００５７】
よってこの画像データをプリンタ装置４で印刷する場合は、すでにプリント補正パラメータは用意されているので、プリンタ装置４では図５に示したようにこのプリント補正パラメータに基いて画像処理を行った後印刷を行う。よって、ユーザは特別な指示を全く行うことなく、最適に処理された画像を得ることができる。
【００５８】
またユーザが画像処理装置（画像処理装置３、デジタルカメラ１又はプリンタ装置４内の画像処理装置）で、画像データを好みの画像に調整加工する画像編集処理を行った場合には、ユーザが行った明度・彩度・コントラスト等のパラメータ値の変更やテンプレート合成処理等の画像編集処理が反映されている画像データを保存する際、画像編集処理で行った処理内容に基づいてプリント補正パラメータを生成し、これを画像編集処理後の画像データに関連付けて記憶する。そして印刷時には、プリンタ装置４は、印刷対象の画像データに関連付けられているプリント補正パラメータに基いて画像処理を行った後印刷する。従って、ユーザは、画像処理装置によって画像データの調整加工を行っても、その後、ユーザは何ら特別な指示を行うことなく最適に処理された印刷画像を得ることができる。
【００５９】
これにより、第２の実施形態では、プリンタ装置４では撮影条件情報や画像編集内容情報のプリント補正パラメータへの変換を行わないので、図５の撮影条件情報−プリンタ補正パラメータ変換テーブルや図６の画像編集内容情報−プリント補正パラメータ変換テーブルを持つ必要がない。また、印刷時に変換処理を行わないので、印刷処理速度が向上する。
【００６０】
図１１は、第２の実施形態におけるデジタルカメラ１で行われる撮影処理を示すフローチャートである。尚第２の実施形態におけるデジタルカメラ１は、図５の撮影条件情報−プリンタ補正パラメータ変換テーブルに対応する、撮影時の種々の条件をプリント補正パラメータに変換するテーブルを備えている。
【００６１】
同図において、ステップＳ４１からＳ４９までのメモリカードのチェックから画像データの記録までは、図７のステップＳ１からＳ９までの処理と同じなので、詳細な説明は省略する。
ステップＳ４９で、撮影した画像の画像データを記憶すると、デジタルカメラ１では、撮影時に選択されていたシーンモードや追加機能設定情報等、撮影時の種々の条件を示す撮影条件情報からプリント補正パラメータを生成し、ステップＳ５０としてこれをステップＳ４９で記憶した画像データに関連付けて記憶し、撮影処理を終了する。
【００６２】
図１２は、第２の実施形態における画像処理装置で行われる画像編集処理を示すフローチャートである。尚第２の実施形態における画像処理装置は、図６の画像編集内容情報−プリンタ補正パラメータ変換テーブルに対応する、ユーザが画像データに対して行った画像編集内容をプリント補正パラメータに変換するテーブルを備えている。
【００６３】
画像処理装置（画像処理装置３、デジタルカメラ１又はプリンタ装置４内の画像処理装置）は、画像データを編集する際、第１の実施形態と同様、まずステップＳ５１としてユーザが指示する画像の画像データが記録されている画像ファイルを読み込む。次に画像処理装置は、ステップＳ５２としてユーザの指示に基いて読み込んだ画像データに対してパラメータの変更等の画像編集処理を行う。そしてステップＳ５３として、この画像編集処理の内容等からプリント補正パラメータを生成し、これを画像編集処理を行う前の原画像データと関連付けられていたプリント補正パラメータの各項目のうち、画像編集処理内容から置き換える必要があるものに対して置き換えて記憶する。尚この時画像データは、画像編集処理を施す前の原画像の画像データに上書き保存しても、別データとして保存してもよい。
【００６４】
図９は、第２の実施形態、及び第１の実施形態におけるプリンタ装置４で行われるプリント処理を示すフローチャートである。尚本実施形態においては、同図の処理は、プリンタ装置４ではなく、ＰＣ上で稼動するアプリケーションプログラムによって実行される構成としても良い。
【００６５】
同図のフローチャートは、第１の実施形態の様にデジタルカメラ１や画像処理装置が画像データに撮影条件情報や画像編集内容情報を関連付けて記憶している場合にも、第２の実施形態の様に画像データにプリント補正パラメータを関連付けて記憶している場合にも、対応している。
【００６６】
図９において、プリント処理が開始されると、プリンタ装置４はステップＳ２１として、まずユーザが指示する画像の画像データが記録されている画像ファイルを読み込む。
次に、ステップＳ２２として読み込んだ画像ファイルに関連付けられている情報にプリント補正パラメータが含まれているかどうかを調べ、関連付けられているプリント補正パラメータが存在すれば（ステップＳ２２、ＹＥＳ）、撮影条件情報や画像編集内容情報よりプリント補正パラメータを優先して印刷を行うので、そのプリント補正パラメータを読み込む（ステップＳ２３）。またステップＳ２２で関連付けられているプリント補正パラメータが存在しなければ（ステップＳ２２、ＮＯ）、ステップＳ２４として画像データに関連付けられている撮影条件情報または画像編集内容情報を読み込み、これをプリント補正パラメータに変換する（ステップＳ２５）。
【００６７】
そしてステップＳ２３若しくはＳ２５で得たプリント補正パラメータを用いてステップＳ２６としてプリント画像処理を行ってプリントデータを生成する。そしてステップＳ２７のプリント処理として、本処理を行っているのがプリンタ装置４であるならば、このプリントデータに基いて画像を印刷し、また本処理を行っているのがアプリケーションプログラムならばプリントデータをプリンタ装置に送って画像印刷を行わせる。
【００６８】
図１０は、図９のステップＳ２６のプリント画像処理の詳細を示すフローチャートである。
本処理に入ると、まずステップＳ３１として、画像の明度、コントラスト、彩度等、印刷対象の画像データの解析を行う。
【００６９】
次に、ステップＳ３２として、ステップＳ３１の解析結果とステップＳ２３若しくはＳ２５で得たプリント補正パラメータを考慮して画質補正量を算出し、これに基づいてコントラスト補正処理（ステップＳ３３）、明るさ補正処理（ステップＳ３４）、ホワイトバランス補正処理（ステップＳ３５）、彩度補正処理（ステップＳ３６）、シャープネス（解像度）補正処理（ステップＳ３７）、ノイズを目立たなくするノイズリダクション処理（ステップＳ３９）及びジャギーを目立たなくするジャギー処理（ステップＳ３９）を行って、プリントデータを生成すると、処理をステップＳ２７に戻す。
第３の実施形態
第１の実施形態では、ユーザが画像処理装置によって意図的に画像データに画像編集処理を施すと、画像編集処理された画像データにはそれまで関連付けられていた撮影条件情報に代わって画像処理内容情報が、画像データに付加される。
【００７０】
しかしながら、この構成に場合プリンタ装置４では撮影条件情報−プリンタ補正パラメータ変換テーブルに加えて、画像処理編集内容情報−プリンタ補正パラメータ変換テーブルの両方を保有する必要がある。
それに対して第３の実施形態では、画像処理編集内容情報をその内容に合致する撮影条件情報に変換して画像データに関連付けて記憶する。よってデジタルカメラ１及び画像処理装置のいずれにおいても、撮影条件情報が画像データに関連付けて記憶されるので、プリンタ装置４は、撮影条件情報−プリンタ補正パラメータ変換テーブルのみを備えればよい。
【００７１】
画像処理装置では、画像編集処理が行われた画像の画像データを保存する際、ユーザによって行われた画像編集処理に基いて撮影条件情報を生成し、これを画像データに関連付けて記憶する。
図１３は、画像処理装置によって画像データに対して行われる画像編集内容と撮影条件情報との対応関係を示すテーブルを示す図である。尚同図の画像編集内容及び撮影条件情報の各項目は、図５の撮影条件情報−プリンタ補正パラメータ変換テーブル及び図６の像処理編集内容情報−プリンタ補正パラメータ変換テーブルの各項目と同じものある。また本図のテーブルは、一例であり、各項目はデジタルカメラ１や画像処理装置の使用等によって、変化する。
【００７２】
図１３において、横方向には画像編集内容の各項目が、縦方向には画像編集内容が変換される撮影条件情報の項目が示されている。画像処理装置は、このようなテーブルを保持し、画像編集処理を行った画像データを保存する際に、この画像データに対する画像編集内容から対応する撮影条件情報を求め、画像データに関連付けて記憶する。
【００７３】
例えば、画像編集処理として、「コントラスト」のパラメータの変更処理が行われた場合、同図の表の例では「ストロボ」の項目が「未発光」、「コントラスト」の項目が「標準」に設定され、コントラストのパラメータを一定値以上高めた場合には「ＩＳＯ感度」に「増感」が設定された撮影条件情報が生成され、画像データと関連付けられて記録される。また例えば撮影条件情報として「トリミング」処理を行った場合には、「デジタルズーム」の項目にデジタルズーム倍率にトリミングの倍率を掛けた値が撮影条件情報の「デジタルズーム」の項目に設定された撮影条件情報が生成され、画像データと関連付けられて記録される。
【００７４】
この第３の実施形態では、デジタルカメラ１及び画像処理装置のいずれにおいても、撮影条件情報が画像データに関連付けて記憶されるので、プリンタ装置４は、撮影条件情報−プリンタ補正パラメータ変換テーブルのみを備えれば良く、プリンタ装置４の構成の簡素化を計る事ができる。
【００７５】
次に、第３の実施形態における各機器の動作処理について説明する。
第３の実施形態ではデジタルカメラ１は、撮影時に撮影画像のデータに撮影条件情報を関連付けて記憶するが、この処理動作は第１の実施形態と同じであり、図７に示したフローチャートと同様な処理を行う。またプリンタ装置４も、画像編集処理が行われた画像データも、行われていない画像データと同様に処理するだけで、第１の実施形態での印刷時と同様、印刷対象の画像データに関連付けられている撮影条件情報をプリント補正パラメータに変換して、このプリント補正パラメータに基いて画像処理を行った後印刷を行う。よって、第３の実施形態におけるプリンタ装置４の動作処理も基本的に図９及び図１０のフローチャートに示した処理と同じである。
【００７６】
図１４は、第３の実施形態における画像処理装置（画像処理装置３、デジタルカメラ１又はプリンタ装置４内の画像処理装置）の画像編集処理を示すブローチャートである。
画像処理装置は、画像データを編集する際、第１の実施形態及び第２の実施形態と同様、まずステップＳ６１としてユーザが指示する画像の画像データが記録されている画像ファイルを読み込み、ステップＳ６２としてユーザの指示に基づいて、読み込んだ画像データに対してパラメータの変更等の画像編集処理を行う。
【００７７】
全ての画像編集処理が終了し、画像編集処理が行われた画像データを保存する時、画像処理装置は、ステップＳ６３として、画像編集処理の内容を図１３に示したようなテーブルを用いて撮影条件情報に変換し、ステップＳ６４としてその撮影条件情報を、画像編集処理を行う前の原画像データと関連付けられた撮影条件情報と、画像編集処理内容から置き換える必要があるものに対して置き換えて記憶する。尚この時画像データは、画像編集処理を施す前の原画像の画像データに上書き保存しても、別データとして保存してもよい。
第４の実施形態
第４の実施形態では、デジタルカメラ１及び画像処理装置は、画像データに撮影条件情報や画像処理編集内容情報の他にプリント補正パラメータをも関連付けて記憶する。これにより第４の実施形態では、プリンタ装置４が撮影条件情報−プリント補正パラメータ変換テーブルや画像処理編集内容情報−プリント補正パラメータ変換テーブルを保有しない場合や、デジタルカメラ１や画像処理装置とプリンタ装置４とでプリント補正パラメータの仕様が異なる場合においても対応することができる。
【００７８】
図１５は、第４の実施形態におけるデジタルカメラ１で行われる撮影処理を示すフローチャートである。尚第４の実施形態におけるデジタルカメラ１は、図５の撮影条件情報−プリンタ補正パラメータ変換テーブルに対応する、撮影時の種々の条件をプリント補正パラメータに変換するテーブルを備えている。
【００７９】
同図において、ステップＳ７１からＳ８０までのメモリカードのチェックから撮影条件情報の記録までは、図７のステップＳ１からＳ１０までの処理と同じなので、詳細な説明は省略する。
ステップＳ８０で、撮影した画像の撮影条件情報を記憶すると、デジタルカメラ１では、ステップＳ８１として、図５に示した撮影条件情報−プリンタ補正パラメータ変換テーブルに対応する、撮影時の種々の条件をプリント補正パラメータに変換するテーブルを用い、この画像データの撮影条件情報からプリント補正パラメータを生成し、ステップＳ８２としてこれをステップＳ７９で記憶した画像データに関連付けて記憶し、撮影処理を終了する。
【００８０】
図１６は、第４の実施形態における画像処理装置（画像処理装置３、デジタルカメラ１又はプリンタ装置４内の画像処理装置）の画像編集処理を示すブローチャートである。尚第４の実施形態における画像処理装置は、図６の画像編集内容情報−プリント補正パラメータ変換テーブルに対応する、画像データに対して行われた画像処理編集内容をプリント補正パラメータに変換するテーブルを備えている。
【００８１】
同図において、ステップＳ９１からＳ９３までの画像ファイルの読み込み処理から画像処理編集内容情報の記録までは、図８のステップＳ１１からＳ１３までの処理と同じなので、詳細な説明は省略する。
ステップＳ９３で、画像処理編集内容情報を画像データと関連付けて記憶すると、次にステップＳ９４として、図６の画像編集内容情報−プリント補正パラメータ変換テーブルに対応する、画像処理編集内容をプリント補正パラメータに変換するテーブルを用いて、画像処理編集内容情報からプリント補正パラメータを生成し、ステップＳ９５としてこのプリント補正パラメータを画像データに関連付けて記憶する。尚この時画像データは、画像編集処理を施す前の原画像の画像データに上書き保存しても、別データとして保存してもよい。
【００８２】
尚第４の実施形態における、プリンタ装置４でのプリント処理は、基本的に図９及び図１０のフローチャートで示した処理と同じなので、説明は省略する。
第５の実施形態
第５の実施形態は、これまで説明してきた第１〜第４の実施形態とは異なり、撮影時に記録された画像データに対して、画像処理装置でユーザが画像編集処理を行って、意図的に画像データの調整加工編集を行った場合には、プリンタ装置４では画像処理を行わずにそのままの画像データを使用して印刷するようにしたものである。即ち、デジタルカメラで撮影した画像データに対してユーザが意図的な画像処理を施していない場合には、撮影した画像の種類に対応してプリンタに用意されている画像処理が行われて印刷され、美しい写真が印刷できる一方、ユーザが意図的に画像処理を行った場合には、ユーザの作成した画像データをそのまま印刷させ、プリンタでは何らの画像処理も行わないようにしたものである。
【００８３】
この第５の実施形態では、画像データに撮影条件情報の他にプリント補正処理フラグを関連付けて記憶する。このプリント補正処理フラグは、印刷時に画像補正を行うかどうかを指示するフラグで、プリンタ装置４は、このプリント補正処理フラグの設定値により画像処理を行うかどうかを判断する。
【００８４】
プリント補正処理フラグは、デジタルカメラ１において、撮影した画像の画像データを記録する際、撮影条件情報と共にＯＮに設定したプリント補正処理フラグを画像データと関連付けて記憶する。そして、画像処理装置では、ユーザによって画像編集処理が行われた後、加工された画像データを記録する際、ＯＦＦにしたプリント補正処理フラグを画像データと関連付けて記憶する。そしてプリンタ装置４は、プリント処理時にこのプリント補正処理フラグがＯＮの時画像処理を行い、ＯＦＦの時画像処理を行わずにそのままの画像データを使用して印刷する。
【００８５】
図１７は、第５の実施形態におけるデジタルカメラ１で行われる撮影処理を示すフローチャートである。
同図において、ステップＳ１０１からＳ１０９までのメモリカードのチェックから、画像データの記録までの処理は、図７のステップＳ１からＳ９までの処理と同じなので、詳細な説明は省略する。
【００８６】
ステップＳ１０９で、撮影した画像の画像データを記憶すると、デジタルカメラ１では、ステップＳ１１０として、撮影条件情報又は／及び撮影条件情報から変換したプリント補正パラメータを画像データと関連付けて記録する。そしてステップＳ１１１として、ＯＮに設定したプリント補正処理フラグをこの画像データと関連付けて記憶し、撮影処理を終了する。
【００８７】
図１８は、第５の実施形態における画像処理装置で行われる画像編集処理を示すフローチャートである。
画像処理装置（画像処理装置３、デジタルカメラ１又はプリンタ装置４内の画像処理装置）は、画像データを編集する際、これまでの第１〜第４の実施形態と同様、まずステップＳ１２１としてユーザが指示する画像の画像データが記録されている画像ファイルを読み込む。次に画像処理装置は、ステップＳ１２２としてユーザの指示に基いて読み込んだ画像データに対してパラメータの変更等の画像編集処理を行う。そしてステップＳ１２３として、画像編集処理が施された画像データを記録する。
【００８８】
次に画像処理装置は、ステップＳ１２４としてプリント補正処理フラグをＯＦＦに設定し、ステップＳ１２５として、これをステップＳ１２３で記録した画像データに対応付けて記録し、画像編集処理を終了する。
図１９は、第５の実施形態におけるプリンタ装置４で行われるプリント処理を示すフローチャートである。尚本実施形態においては、同図の処理は、プリンタ装置４ではなく、ＰＣ上で稼動するアプリケーションプログラムによって実行される構成としても良い。
【００８９】
図１９において、プリント処理が開始されると、プリンタ装置４はステップＳ１３１として、まずユーザが指示する画像の画像データが記録されている画像ファイルを読み込む。
次に、ステップＳ１３２として、読み込んだ画像ファイルに関連付けられているプリント補正処理フラグを調べる。その結果プリント補正処理フラグがＯＦＦに設定されていたならば（ステップＳ１３２、ＮＯ）、画像処理を行わずにＳ１３８に処理を移し画像データを印刷する。
【００９０】
ステップＳ１３２で、プリント補正処理フラグがＯＮに設定されていたならば（ステップＳ１３２、ＹＥＳ）、ステップＳ１３３として読み込んだ画像ファイルに関連付けられている情報にプリント補正パラメータが含まれているかどうかを調べ、関連付けられているプリント補正パラメータが存在すれば（ステップＳ１３３、ＹＥＳ）、撮影条件情報や画像編集内容情報よりプリント補正パラメータを優先して印刷を行うので、そのプリント補正パラメータを読み込む（ステップＳ１３４）。またステップＳ１３３で関連付けられているプリント補正パラメータが存在しなければ（ステップＳ１３３、ＮＯ）、ステップＳ１３５として画像データに関連付けられている撮影条件情報または画像編集内容情報を読み込み、これをプリント補正パラメータに変換する（ステップＳ１３６）。
【００９１】
そしてステップＳ１３４若しくはＳ１３６で得たプリント補正パラメータを用いてステップＳ１３７としてプリント画像処理を行ってプリントデータを生成する。そしてステップＳ１３８のプリント処理として、本処理を行っているのがプリンタ装置４であるならば、このプリントデータに基いて画像を印刷し、また本処理を行っているのがアプリケーションプログラムならばプリントデータをプリンタ装置に送って画像印刷を行わせた後、プリント処理を終了する。
【００９２】
図２０は、本実施形態における記憶媒体の例を示す図である。
図４に示したＰＣでは、フレキシブルディスク等の記憶媒体５７を用いてアプリケーションソフトの交換が行われる場合がある。よって、本発明は、印刷システムや画像処理装置に限らず、コンピュータにより使用されたときに、上述した本発明の各実施形態における画像処理装置３の機能をコンピュータに行わせるためのプログラムやコンピュータ読み出し可能な記憶媒体６７として構成することもできる。
【００９３】
この場合、「記憶媒体」には、例えば図２０に示されるように、ＣＤ−ＲＯＭ、フロッピー（登録商標）ディスク（あるいはＭＯ、ＤＶＤ、リムーバブルハードディスク等であってもよい）等の媒体読み取り装置７７に脱着可能な可搬記憶媒体７６や、ネットワーク回線７３経由で送信される外部の装置（サーバ等）内の記憶手段（データベース等）７２、あるいは情報処理装置７１の本体７４内の記憶装置（ＲＡＭ又はハードディスク等）７５等が含まれる。可搬記憶媒体７６や記憶手段（データベース等）７２に記憶されているプログラムは、本体７４内のメモリ（ＲＡＭ又はハードディスク等）７５にロードされて、実行される。
【００９４】
【発明の効果】
本発明によれば、デジタルカメラによって撮影した画像データに対して、ユーザは印刷に対し、何ら特別な指示を全く行うことなく、最適な状態での印刷画像を得ることができる。
【００９５】
また、ユーザが画像編集処理を施した画像データであっても、ユーザは特別な指示を行わなくても、所望の印刷画像を得ることができる。
【図面の簡単な説明】
【図１】本実施形態の全体の流れを示す概念図である。
【図２】電子カメラの構成を示すブロック図である。
【図３】プリンタ装置の構成を示すブロック図である。
【図４】ＰＣの基本構成を示す図である。
【図５】撮影条件情報−プリンタ補正パラメータ変換テーブルを示す図である。
【図６】画像編集内容情報−プリント補正パラメータ変換テーブルを示す図である。
【図７】第１の実施形態における撮影処理を示すフローチャートである。
【図８】第１の実施形態における画像編集処理を示すフローチャートである。
【図９】第１の実施形態及び第２の実施形態におけるプリント処理を示すフローチャートである。
【図１０】プリント画像処理の詳細を示すフローチャートである。
【図１１】第２の実施形態における撮影処理を示すフローチャートである。
【図１２】第２の実施形態における画像編集処理を示すフローチャートである。
【図１３】画像編集内容と撮影条件情報との対応関係を示すテーブルを示す図である。
【図１４】第３の実施形態におけるの画像編集処理を示すブローチャートである。
【図１５】第４の実施形態における撮影処理を示すフローチャートである。
【図１６】第４の実施形態における画像編集処理を示すブローチャートである。
【図１７】第５の実施形態における撮影処理を示すフローチャートである。
【図１８】第５の実施形態における画像編集処理を示すフローチャートである。
【図１９】第５の実施形態におけるプリント処理を示すフローチャートである。
【図２０】本実施形態における記憶媒体の例を示す図である。
【符号の説明】
１  デジタルカメラ
２、４５  メモリカード
３  画像処理装置
４  プリンタ装置
１１  ズームレンズ系
１２  撮像素子
１３  撮像回路
１４  Ａ／Ｄ
１５  レンズ駆動制御回路
１６  レンズ駆動部
１７、４１  シスコン
１８、４２  ＡＳＩＣ
１９、４７  ＲＯＭ
２０、４６  ＲＡＭ
２１、４３  メモリＩ／Ｆ
２２、４４  カードスロット
２３  メモリカード
２４  外部Ｉ／Ｆ
２５  外部入出力端子
２６  ビデオメモリ
２７  ビデオ出力回路
２８  画像表示ＬＣＤ
２９  ビデオアウト
２０  ストロボ発光部
３１  操作部
３２、５６  電源部
３３  カメラ電池
３４、５７  外部電源入力端子
４８  サーマルヘッド制御部
４９  サーマルヘッド
５０  ペーパー
５１  インクリボン
５２  ペーパー搬送制御部
５３  ペーパー搬送部
５４  ペーパーカートリッジ
５５  操作部
６１  ＣＰＵ
６２  主記憶装置
６３  補助記憶装置
６４  Ｉ／Ｏ
６５  通信装置
６６  媒体読取装置
６７、７７  可搬記憶媒体
７１  情報処理装置
７２  記憶手段
７３  ネットワーク回線
７４  本体
７５  記憶装置
【図１】
0004163412.tif 000002
【図２】
0004163412.tif 000003
【図３】
0004163412.tif 000004
【図４】
0004163412.tif 000005
【図５】
0004163412.tif 000006
【図６】
0004163412.tif 000007
【図７】
0004163412.tif 000008
【図８】
0004163412.tif 000009
【図９】
0004163412.tif 000010
【図１０】
0004163412.tif 000011
【図１１】
0004163412.tif 000012
【図１２】
0004163412.tif 000013
【図１３】
0004163412.tif 000014
【図１４】
0004163412.tif 000015
【図１５】
0004163412.tif 000016
【図１６】
0004163412.tif 000017
【図１７】
0004163412.tif 000018
【図１８】
0004163412.tif 000019
【図１９】
0004163412.tif 000020
【図２０】
0004163412.tif 000021